(57)【要約】【課題】小型化されたコンセントに対応する電気機器をＪＩＳ規格において規格化されたコンセントに接続可能とするアダプタを提供する。【解決手段】電圧極である差込口１，２は、長手方向が互いに直交するとともに差込口１の幅方向において差込口１から差込口２が離間し、接地極である差込口３は、差込口２の幅方向において差込口２から離間し、かつ差込口２の長手方向において差込口２の両端のうちの差込口１から離れた一端と差込口１との間に対応する部位に位置する。電圧極である栓刃９，１０は、断面における長手方向に沿った中心線を一致させる形で並設され、接地極である栓刃１１は、栓刃９，１０の断面の幅方向において栓刃９，１０から離間しかつ栓刃９，１０の断面の間に対応する部位に位置する。刃受ばね５〜７と栓刃９〜１１とは接続線１２によってそれぞれ接続される。【選択図】図１
2006302669.tif 000002
【特許請求の範囲】
【請求項１】
接地極を含む３極の栓刃が差し込まれる３個の差込口がコンセントハウジングの一面に開口し、各差込口に差し込まれた栓刃を受ける刃受ばねをコンセントハウジング内に有したコンセントブロックと、コンセントハウジングとは別体のプラグハウジングの一面から突出するとともに各刃受ばねに接続線を介してそれぞれ電気的に接続される３極の栓刃を有したプラグブロックとを備え、コンセントブロックは、電圧極である第１および第２の差込口が、それぞれ矩形状に開口しかつ長手方向が互いに直交するとともに第１の差込口の幅方向において第１の差込口から第２の差込口が離間し、接地極である差込口が、第２の差込口の幅方向において第２の差込口から離間し、かつ第２の差込口の長手方向において第２の差込口の両端のうちの第１の差込口から離れた一端と第１の差込口との間に対応する部位に位置し、プラグブロックは、電圧極である第１および第２の栓刃が、平形栓刃であって突出方向に直交する断面における長手方向に沿った中心線を一致させる形で並設され、接地極である栓刃が、第１および第２の栓刃の断面における幅方向において第１および第２の栓刃から離間しかつ第１および第２の栓刃の断面の間に対応する部位に位置することを特徴とするアダプタ。
【請求項２】
各刃受ばねには前記接続線に接続される端子部を有した端子板がそれぞれ接続されており、電圧極である第１および第２の刃受ばねに接続された端子板は、前記第２の差込口の幅方向において、第１および第２の刃受ばねに対して接地極である刃受ばねとは反対側に位置するように、第１および第２の刃受ばねから第２の差込口の幅方向に沿ってそれぞれ突出していることを特徴とする請求項１記載のアダプタ。
【請求項３】
前記接続線は、前記コンセントハウジングと前記プラグハウジングとが前記栓刃の突出方向に直交する面内において並設され、かつ差込口が開口したコンセントハウジングの一面と栓刃が突出したプラグハウジングの一面とが栓刃の突出方向において互いに逆向きになるように、コンセントハウジングとプラグハウジングとを機械的に連結していることを特徴とする請求項１または請求項２に記載のアダプタ。
【請求項４】
接地極を含む３極の栓刃が差し込まれる３個の差込口が開口したハウジングと、ハウジング内において各差込口に差し込まれた栓刃を受ける刃受ばねと、ハウジングにおいて差込口が開口した面とは異なる面から突出するとともにハウジング内において各刃受ばねにそれぞれ電気的に接続される３極の栓刃とを備え、電圧極である第１および第２の差込口は、それぞれ矩形状に開口しかつ長手方向が互いに直交するとともに第１の差込口の幅方向において第１の差込口から第２の差込口が離間し、接地極である差込口は、第２の差込口の幅方向において第２の差込口から離間し、かつ第２の差込口の長手方向において第２の差込口の両端のうちの第１の差込口から離れた一端と第１の差込口との間に対応する部位に位置し、電圧極である第１および第２の栓刃は、平形栓刃であって突出方向に直交する断面における長手方向に沿った中心線を一致させる形で並設され、接地極である栓刃は、第１および第２の栓刃の断面における幅方向において第１および第２の栓刃から離間しかつ第１および第２の栓刃の間に対応する部位に位置することを特徴とするアダプタ。
【請求項５】
前記ハウジングにおいて互いに平行する２面のうちの一面に前記差込口が開口するとともに他面から前記栓刃が突出しており、第１および第２の栓刃と、第１の栓刃に接続される前記刃受ばねおよび第２の栓刃に接続される刃受ばねとは互いに別体であって、第１の栓刃は、突出方向に直交する断面の長手方向を前記第１の差込口の幅方向に一致させる形で刃受ばねに結合され、第２の栓刃は、突出方向に直交する断面の長手方向を前記第２の差込口の長手方向に一致させる形で刃受ばねに結合されていることを特徴とする請求項４記載のアダプタ。
【発明の詳細な説明】
【技術分野】
【０００１】
本発明は、２５０Ｖ３０Ａ用のような高電圧高容量のコンセントに接続されるアダプタに関するものである。
【背景技術】
【０００２】
近年、一般家庭において電源電圧が２００Ｖである電気機器が普及してきている。とくに、ＩＨクッキングヒータの普及率の上昇は著しく、この種の電気機器では定格が２５０Ｖ３０Ａであるコンセントおよびプラグが必要になる。
【０００３】
高電圧高容量のコンセントとしては、図７に示すように、接地極を含む３極の構成であって、電圧極である２極に対応するプラグ３６の栓刃９，１０は平形栓刃であり、コンセント３７において栓刃９，１０が差し込まれる差込口１’，２’はコンセントハウジング４’の一面に矩形状に開口するものが広く普及している。電圧極である２個の差込口１’，２’は長手方向に沿った中心線を一致させる形で並設され、接地極である差込口３’は、電圧極である差込口１’，２’の幅方向に離間しかつ両差込口１’，２’の間の中央位置に対応するように配置されている（たとえば、特許文献１参照）。このように差込口１’〜３’が配置されたコンセント３７はＪＩＳ規格において規格化されている。
【０００４】
ところで、上述したコンセント３７は、電圧極である矩形状の差込口１’，２’が長手方向に沿った中心線を一致させる形で並設されているから、差込口１’，２’の長手方向においてコンセントハウジング４’が差込口１’，２’の長手方向の２倍以上の寸法になる。つまり、高電圧高容量のコンセント３７とこれに対応するプラグ３６とは比較的大型になるという問題がある。
【０００５】
これに対して、図８に示すように、上記コンセント３７とは異なる差込口１〜３の配置を採用することにより、電圧極である差込口１，２が並ぶ方向におけるコンセントハウジング４’の寸法を上記コンセント３７に比較して小さくしたコンセント３８が提案されている。このコンセント３８では、電圧極である２極に対応するプラグ３９の栓刃９’，１０’は平形栓刃であって、電圧極である２個の差込口１，２は、長手方向が互いに直交し、差込口１の幅方向において差込口１から差込口２が離間するように配置されている。差込口２の長手方向に沿った中心線は差込口１の長手方向における中心に略一致する。接地極である差込口３は、差込口２の幅方向において差込口２から離間しており、差込口２の長手方向における差込口２の両端のうち差込口１から離れた一端と差込口１との間に対応する部位に位置する。
【特許文献１】特開２００２−３５２８９５号公報
【発明の開示】
【発明が解決しようとする課題】
【０００６】
ところで、後者のコンセント３８はまだ十分に普及していないが、今後、高電圧高容量のコンセントは前者のコンセント３７から小型化された後者のコンセント３８に移行していくと考えられる。しかし、既設のコンセントには前者のコンセント３７が採用されていることが多く、後者のコンセント３８の普及に伴って後者のコンセント３８に対応した電気機器が普及してくると、既設のコンセントを交換しなければ電気機器を接続できないという問題がでてくる。
【０００７】
本発明は上記事由に鑑みて為されたものであって、小型化された後者のコンセントに対応する電気機器を前者のコンセントに接続可能とするアダプタを提供することを目的とする。
【課題を解決するための手段】
【０００８】
請求項１の発明では、接地極を含む３極の栓刃が差し込まれる３個の差込口がコンセントハウジングの一面に開口し、各差込口に差し込まれた栓刃を受ける刃受ばねをコンセントハウジング内に有したコンセントブロックと、コンセントハウジングとは別体のプラグハウジングの一面から突出するとともに各刃受ばねに接続線を介してそれぞれ電気的に接続される３極の栓刃を有したプラグブロックとを備え、コンセントブロックは、電圧極である第１および第２の差込口が、それぞれ矩形状に開口しかつ長手方向が互いに直交するとともに第１の差込口の幅方向において第１の差込口から第２の差込口が離間し、接地極である差込口が、第２の差込口の幅方向において第２の差込口から離間し、かつ第２の差込口の長手方向において第２の差込口の両端のうちの第１の差込口から離れた一端と第１の差込口との間に対応する部位に位置し、プラグブロックは、電圧極である第１および第２の栓刃が、平形栓刃であって突出方向に直交する断面における長手方向に沿った中心線を一致させる形で並設され、接地極である栓刃が、第１および第２の栓刃の断面における幅方向において第１および第２の栓刃から離間しかつ第１および第２の栓刃の断面の間に対応する部位に位置することを特徴とする。
【０００９】
この構成によれば、コンセントブロックと同じ配置の３個の差込口を有するコンセントに対応した電気機器を使用する場合に、この種のコンセントが設置されていなくても、従来から広く採用されており電圧極である第１の差込口と第２の差込口とを長手方向の一直線上に並設したコンセントが設置されていれば、アダプタを介して前記電気機器をコンセントに接続することができる。また、コンセントハウジングとプラグハウジングとが別体であるから、栓刃の突出方向におけるアダプタの寸法を比較的小さくすることができ、アダプタを介してコンセントに電気機器を接続した状態で、コンセントからのアダプタの突出寸法が比較的小さくなるという利点がある。
【００１０】
請求項２の発明は、請求項１の発明において、各刃受ばねには前記接続線に接続される端子部を有した端子板がそれぞれ接続されており、電圧極である第１および第２の刃受ばねに接続された端子板が、前記第２の差込口の幅方向において、第１および第２の刃受ばねに対して接地極である刃受ばねとは反対側に位置するように、第１および第２の刃受ばねから第２の差込口の幅方向に沿ってそれぞれ突出していることを特徴とする。
【００１１】
この構成によれば、電圧極である第１および第２の刃受ばねと端子板とはそれぞれ第２の差込口の幅方向に並ぶことになるから、第２の差込口の長手方向、つまり電圧極である第１の差込口と第２の差込口とが並ぶ方向について、コンセントハウジングを小型化することができる。
【００１２】
請求項３の発明は、請求項１または請求項２の発明において、前記接続線が、前記コンセントハウジングと前記プラグハウジングとが前記栓刃の突出方向に直交する面内において並設され、かつ差込口が開口したコンセントハウジングの一面と栓刃が突出したプラグハウジングの一面とが栓刃の突出方向において互いに逆向きになるように、コンセントハウジングとプラグハウジングとを機械的に連結していることを特徴とする。
【００１３】
この構成によれば、コンセントハウジングとプラグハウジングとが前記栓刃の突出方向に直交する面内において並設されているので、壁面等の施工面に設置されたコンセントにプラグブロックを接続した状態で、コンセントハウジングは前記コンセントの周囲に保持されることになり、コンセントハウジングを別に固定する必要がない。しかも、差込口が開口したコンセントハウジングの一面と栓刃が突出したプラグハウジングの一面とが栓刃の突出方向において逆向きになっているので、コンセントブロックの差込口はコンセントハウジングにおいて施工面とは反対側の一面に開口されることになり、電気機器を接続し易いという利点がある。
【００１４】
請求項４の発明では、接地極を含む３極の栓刃が差し込まれる３個の差込口が開口したハウジングと、ハウジング内において各差込口に差し込まれた栓刃を受ける刃受ばねと、ハウジングにおいて差込口が開口した面とは異なる面から突出するとともにハウジング内において各刃受ばねにそれぞれ電気的に接続される３極の栓刃とを備え、電圧極である第１および第２の差込口は、それぞれ矩形状に開口しかつ長手方向が互いに直交するとともに第１の差込口の幅方向において第１の差込口から第２の差込口が離間し、接地極である差込口は、第２の差込口の幅方向において第２の差込口から離間し、かつ第２の差込口の長手方向において第２の差込口の両端のうちの第１の差込口から離れた一端と第１の差込口との間に対応する部位に位置し、電圧極である第１および第２の栓刃は、平形栓刃であって突出方向に直交する断面における長手方向に沿った中心線を一致させる形で並設され、接地極である栓刃は、第１および第２の栓刃の断面における幅方向において第１および第２の栓刃から離間しかつ第１および第２の栓刃の間に対応する部位に位置することを特徴とする。
【００１５】
この構成によれば、コンセントブロックと同じ配置の３個の差込口を有するコンセントに対応した電気機器を使用する場合に、この種のコンセントが設置されていなくても、従来から広く採用されており電圧極である第１の差込口と第２の差込口とを長手方向の一直線上に並設したコンセントが設置されていれば、アダプタを介して前記電気機器をコンセントに接続することができる。また、１個のハウジングに刃受ばねと栓刃とを設けているから、アダプタの使用時にアダプタが占有するスペースを比較的小さく抑えることができる。
【００１６】
請求項５の発明は、請求項４の発明において、前記ハウジングにおいて互いに平行する２面のうちの一面に前記差込口が開口するとともに他面から前記栓刃が突出しており、第１および第２の栓刃と、第１の栓刃に接続される前記刃受ばねおよび第２の栓刃に接続される刃受ばねとが互いに別体であって、第１の栓刃が、突出方向に直交する断面の長手方向を前記第１の差込口の幅方向に一致させる形で刃受ばねに結合され、第２の栓刃が、突出方向に直交する断面の長手方向を前記第２の差込口の長手方向に一致させる形で刃受ばねに結合されていることを特徴とする。
【００１７】
この構成によれば、第１の栓刃と第２の栓刃とで刃受ばねとの組み合わせ方を異ならせているので、刃受ばねとの位置関係が互いに異なる第１および第２の栓刃に共通の部品を用いることが可能になる。さらに、第１の栓刃に接続される刃受ばねおよび第２の栓刃に接続される刃受ばねにおいても共通の部品を用いることが可能になる。その結果、第１の栓刃を形成するための金型および第２の栓刃を形成するための金型を共用することができるとともに、第１の刃受ばねを形成するための金型および第２の刃受ばねを形成するための金型を共用することができ、金型の費用を低コストに抑えることができる。
【発明の効果】
【００１８】
本発明は、コンセントブロックと同じ配置の３個の差込口を有するコンセントに対応した電気機器を使用する場合に、この種のコンセントが設置されていなくても、従来から広く採用されており電圧極である第１の差込口と第２の差込口とを長手方向の一直線上に並設したコンセントが設置されていれば、アダプタを介して前記電気機器をコンセントに接続することができるという利点がある。
【発明を実施するための最良の形態】
【００１９】
（実施形態１）
本実施形態のアダプタは、図１に示すように、接地極を含む３極の栓刃が差し込まれる３個の差込口１〜３がコンセントハウジング４に開口し、各差込口１〜３に差し込まれた栓刃を受ける刃受ばね５〜７をコンセントハウジング４内に有したコンセントブロックＡと、コンセントハウジング４とは別体のプラグハウジング８から突出する３極の栓刃９〜１１を有したプラグブロックＢとを備えている。各刃受ばね５〜７と各栓刃９〜１１とは接続線１２を介してそれぞれ電気的に接続されており、コンセントブロックＡとプラグブロックＢとはこの接続線１２によって機械的に連結されることになる。接続線１２は、本実施形態ではコンセントハウジングＡとプラグハウジングＢとの間に露出する部分がまとめて被覆された電線からなるが、この構成に限らず、刃受ばね５〜７と栓刃９〜１１とを電気的に接続するとともにコンセントブロックＡをプラグブロックＢとを機械的に連結できるものであればよく、たとえば剛性を有した導電部材などでもよい。
【００２０】
本実施形態では、プラグブロックＢとして、従来構成において説明したＪＩＳ規格で規格化されているコンセント３７に対応する２５０Ｖ３０Ａのプラグ３６（図７（ａ）参照）を用いており、この種のプラグ３６は従来から広く採用されているものであるから、プラグハウジング８内の構成の詳しい説明は省略し、プラグブロックＢの概略構成の説明のみ後述する。
【００２１】
コンセントハウジング４は、前面が開放されたボディ１３と、差込口１〜３が開口しボディ１３の前面に覆着されるカバー１４とを結合することにより薄箱状に形成される。ボディ１３においてカバー１４とは反対側の一面（背面）から挿入される複数本（図では５本）の組立ねじ１５を、カバー１４に螺合させることにより、ボディ１３とカバー１４とが結合される。
【００２２】
カバー１４の前面には、差込凹所１６が凹設され、差込凹所１６の底面に差込口１〜３が開口する。差込口１〜３のうちの２個の（第１の）差込口１および（第２の）差込口２はプラグ３９（図８（ａ）参照）における電圧極の栓刃９’，１０’が挿入され、残りの１個の差込口３は接地極の栓刃１１’が挿入される。電圧極の栓刃９’，１０’は平形栓刃であるから、差込口１，２は矩形状に開口する。また、接地極の栓刃１１’は断面Ｕ字状であり、差込口３は半楕円状に開口する。差込口１〜３の配置は、従来構成において説明した後者のコンセント３８と同じ配置になっており、ここでは説明を省略する。ただし、電圧極である差込口１の長手方向に沿った接地極である差込口３の中心線は、差込口１の長手方向に沿った差込凹所１６の中心線と一致し、この中心線を挟んで電圧極である２個の差込口１，２は互いに反対側に配置される。上記中心線と差込口２との距離は差込口１との距離よりも小さく設定される。
【００２３】
ところで、差込凹所１６の開口面は、差込口１の長方向における寸法が差込口１の幅方向における寸法よりも大きくなる長円状に形成されている。すなわち、差込凹所１６の開口面は、差込口１の長手方向における各端部がそれぞれ弧状であって、弧状部分を直線部分で連結した形状に形成されている。差込凹所１６の開口面における直線部分に対応する部位では、差込凹所１６の内周面は差込口１の長手方向と平行に形成される。また、本実施形態では差込凹所１６の内周面は差込凹所１６の底面に対して直交する。
【００２４】
差込凹所１６は、コンセントブロックＡに接続されるプラグ３９（図８（ａ）参照）において栓刃９’〜１１’が突設されているプラグハウジング８’の一部が嵌合するように形成されている。つまり、図８（ａ）に示したプラグハウジング８’のうち栓刃９’〜１１’が突設される一面に栓刃９’〜１１’を囲む形で差込突台４０が突設され、この差込突台４０が差込凹所１６に嵌合する。あるいはまた、プラグハウジング８’が差込凹所１６の開口面に合致する断面形状に形成され、プラグハウジング８’の一部が差込凹所１６に嵌合する。この構成により、プラグ３９において栓刃９’〜１１’が突出する面がコンセントハウジング４の前面とは異なる面になるから、ゴミや金属片や水滴のような異物が栓刃９’〜１１’に触れ難くなり、とくに、ＩＨクッキングヒータのように比較的異物が付着しやすい場所で使用する場合の安全性を高めることができる。しかも、差込凹所１６の内周面の一部は差込口１の長手方向と平行であるから、差込凹所１６の長手方向の内周面が差込口１に挿入される栓刃９’のガイドになり、プラグ３９を挿入し易くなる。
【００２５】
一方、ボディ１３におけるカバー１４との対向面には、図２に示すように、３区画の収納凹所１７が形成され、各収納凹所１７の間は仕切壁１８により分離されている。各収納凹所１７には、それぞれ刃受ばね５〜７が収納される。各刃受ばね５〜７は、それぞれ対向して配置された一対の刃受部５ａ〜７ａを備える。電圧極である（第１の）刃受ばね５および（第２の）刃受ばね６は、両刃受部５ａ，６ａの後縁間を連結片５ｂ，６ｂで連続一体に連結しているが、接地極の刃受ばね７は、両刃受部７ａの後端側部間を連結片７ｂで連続一体に連結する。つまり、接地極の刃受ばね７は、栓刃１１’が挿入される方向における両端部がともに開放されている。接地極の栓刃１１’は電圧極の栓刃９’，１０’に比較してプラグハウジング８’からの突出寸法が大きくなるが、本実施形態では接地極である刃受ばね７について、接地極の栓刃１１’の挿入方向の両端が開放されているから、刃受ばね７の材料の厚み寸法分だけ接地極の栓刃１１’を電圧極の栓刃９’，１０’より深く挿入することが可能になる。さらに、接地極の刃受ばね７は対象となる栓刃が接地極の栓刃１１’であるから刃受部７ａの間隔が電圧極の刃受ばね５，６の刃受部５ａ，６ａの間隔より大きく設定されている。各連結片５ｂ〜７ｂには接続片５ｃ〜７ｃの一端が連続一体に接続され、接続片５ｃ〜７ｃの他端は端子板１９〜２１に連続一体に接続される。
【００２６】
端子板１９〜２１はボディ１３の前面に沿って配置され、各端子板１９〜２１には、取付ねじ２２がそれぞれ挿入される固定用孔１９ａ〜２１ａと、端子ねじ２３がそれぞれ螺合する端子ねじ孔１９ｂ〜２１ｂとが形成される。ボディ１３には取付ねじ２２が螺合する端子固定孔２４が形成される。つまり、端子板１９〜２１は取付ねじ２２を用いてボディに固定される。接続線１２は、端子ねじ２３の頭部と各端子板１９〜２１との間にそれぞれ挟持されることにより端子板１９〜２１に接続される。また、各端子板１９〜２１には、ボディ１３に設けた差込孔２５に挿入される差込片１９ｃ〜２１ｃが突設される。このように差込片１９〜２１を差込孔２５に差し込むことによって、端子板１９〜２１がボディ１３に対して定位置に位置決めされる。ここで、電圧極の一方の刃受ばね５および端子板１９の一体部品と、他方の刃受ばね６および端子板２０の一体部品とは同形状の共通部品であって、互いに直交した差込口１，２に対応するように、ボディ１３に対しては刃受ばね５，６における刃受部５ａ，６ａの幅方向を互いに直交させる向きに組み込まれている。
【００２７】
一方、プラグブロックＢには、上述したようにＪＩＳ規格で規格されたプラグを用いており、プラグハウジング８から突出する栓刃９〜１１は以下に説明する配置になっている。電圧極である（第１の）栓刃９および（第２の）栓刃１０は、それぞれ断面矩形状の平形栓刃であって、断面における長手方向に沿った中心線が互いに一致する形に並設され、接地極である栓刃１１は、断面Ｕ字状であって、栓刃９，１０の断面の幅方向において栓刃９，１０から離間しかつ両栓刃９，１０の断面の間に対応する部位に位置する。また、プラグハウジング８における栓刃９〜１１が突出する一面であって両電圧極の栓刃９，１０の間の部位には栓刃９，１０の断面における幅方向に平行な２条の溝部８ａが形成され、両栓刃９，１０の間の沿面距離が大きくなっている。
【００２８】
本実施形態の構成によれば、コンセントブロックＡには、従来構成において説明した後者のコンセント３８（図８（ｂ）参照）に対応したプラグ３９（図８（ａ）参照）を接続することができ、プラグブロックＢにおいては、従来から広く採用されており電圧極である差込口１’，２’が長手方向の一直線上に並ぶコンセント３７（図７（ｂ）参照）に接続することができる。すなわち、本実施形態のアダプタを用いれば、従来構成において説明した後者のコンセント３８に対応した電気機器を、従来構成において説明した前者のコンセント３７（ＪＩＳ規格で規格化されたコンセント）に接続することができる。
【００２９】
また、本実施形態では、コンセントハウジング４とプラグハウジング８とが栓刃９〜１１の突出方向に直交する面内において差込口１の長手方向に並ぶように並設され、かつ差込口１〜３が開口したコンセントハウジング４の一面と栓刃９〜１１が突出したプラグハウジングの８一面とが栓刃９〜１１の突出方向において互いに逆向きになるように、接続線１２によってコンセントハウジング４とプラグハウジング８との位置関係を決定している。接続線１２は、この位置関係を維持できる硬度を有する程度の長さに設定されている。この構成では、コンセントハウジング４とプラグハウジング８とが栓刃９〜１１の突出方向に直交する面内において並設されているので、壁面等の施工面に設置されたコンセント３７（図７（ｂ）参照）にプラグブロックＢを接続した状態で、コンセントハウジング４はコンセント３７の周囲に保持されることになり、コンセントハウジング４を別に固定する必要がない。しかも、差込口１〜３が開口したコンセントハウジング４の一面と栓刃９〜１１が突出したプラグハウジング８の一面とが栓刃９〜１１の突出方向において逆向きになっているので、コンセントブロックＢの差込口１〜３はコンセントハウジング４において施工面とは反対側の一面に開口することになり、コンセントブロックＡに電気機器を接続し易いという利点がある。
【００３０】
なお、本実施形態の刃受ばね５〜７および端子板１９〜２１は、コンセントブロックＡと同じ配置の３個の差込口１〜３を有しかつ電線を付設した施工面に露出させる形で固定される所謂露出形コンセント３８（図８（ｂ）参照）に用いられる刃受ばね５〜７および端子板１９〜２１と同様の形状に設計されている。このように、複数種類の製品で同じ刃受ばね５〜７および端子板１９〜２１を用いることにより、刃受ばね５〜７および端子板１９〜２１を形成するための金型を複数種類の製品で共用することができ、金型の費用を抑えることができる。
【００３１】
（実施形態２）
本実施形態のアダプタは、図３に示すように、実施形態１のアダプタにおいて、コンセントブロックＡにおける刃受ばね５〜７と端子板１９〜２１との位置関係を変更することにより、差込口１〜３に対するコンセントハウジング４の大きさを実施形態１に比べて小さくしたものである。
【００３２】
すなわち、本実施形態では、図３（ｂ）〜（ｄ）に示すように、電圧極である刃受ばね５，６に接続された各端子板１９，２０が、差込口２の幅方向（図の上下方向）において、刃受ばね５，６に対して接地極である刃受ばね７とは反対側に位置するように、刃受ばね５，６から差込口２の幅方向に沿ってそれぞれ突出する形に形成される。これにより、電圧極である刃受ばね５，６と端子板１９，２０とはそれぞれ差込口２の幅方向に並ぶことになるので、電圧極である差込口５，６が並ぶ方向についてコンセントハウジング４を小型化することが可能になる。図３（ａ）に示したコンセントハウジング４の周囲の２点鎖線は、実施形態１のコンセントハウジング４の外周縁を表している。
【００３３】
また、各端子板１９〜２１において接続線１２を接続する端子部としての構造は、図３（ｂ）に示すように実施形態１と同様の端子ねじ２３を用いるものとしてもよいが、図３（ｃ）に示すような端子板１９〜２１をかしめることによって接続線１２を端子板１９〜２１に保持する構造や、図３（ｄ）に示すような端子板１９〜２１に接続線１２をはんだ付けする構造を採用してもよい。その他の構成および機能は実施形態１と同様である。
【００３４】
（実施形態３）
本実施形態のアダプタは、図４に示すように、平面視が略正方形の箱状に形成され、接地極を含む３極の栓刃が差し込まれる３個の差込口１〜３が前面（図４（ｃ）の上面）に開口し、背面（図４（ｃ）の下面）からは３極の栓刃９〜１１が突出したハウジング２６を備えている。すなわち、本実施形態は、プラグ３９（図８（ａ）参照）が接続されるコンセントブロックＡとコンセント３７（図７（ｂ）参照）に接続されるプラグブロックＢとに分かれていた実施形態１，２とは異なり、コンセントブロックとプラグブロックとの両方の機能を１個のハウジング２６に備えたものである。
【００３５】
ハウジング２６は、前面が開放され底面に栓刃９〜１１が挿通される３個の挿通孔２７が貫設されたボディ２８と、前面に差込口１〜３が開口しボディ２８の前面に覆着されるカバー２９とを結合することにより形成される。ボディ２８においてカバー２９とは反対側の一面（背面）から挿入される複数本（図では３本）の組立ねじ３０を、カバー２９に螺合させることにより、ボディ２８とカバー２９とが結合される。ボディ２８の背面とカバー２９の前面とは互いに平行する。カバー２９の前面に凹設された差込凹所１６、および差込凹所１６の底面に開口した差込口１〜３については、実施形態１のコンセントハウジング４と同様であるから説明を省略する。
【００３６】
一方、ボディ２８におけるカバー２９との対向面には、３区画の収納凹所３１が形成され、各収納凹所３１の間は仕切壁３２により分離されている。各収納凹所３１には、それぞれ刃受ばね５〜７が収納される。ここにおいて、各収納凹所３１はそれぞれの底面に上述した挿通孔２７が位置するように形成されている。つまり、各収納凹所３１には、刃受ばね５〜７だけでなく栓刃９〜１１もそれぞれ配置されることになる。また、各刃受ばね５〜７については、実施形態１において説明した刃受ばね５〜７と同様であるから詳しい説明は省略するが、本実施形態では、刃受ばね５〜７と栓刃９〜１１とを直接結合する構成を採用しており、実施形態１において刃受ばね５〜７と端子板９〜１１とを接続していた接続片５ｃ〜７ｃおよび端子板１９〜２１はなく、各刃受ばね５〜７はそれぞれ、図６に示すように、対向して配置された一対の刃受部５ａ〜７ａと、両刃受部５ａ〜７ａを連結する連結片５ｂ〜７ｂと、後述する結合片５ｄ〜７ｄとで構成される。
【００３７】
このように、コンセントブロックとプラグブロックとの両方の機能を１個のハウジング２６に備えることにより、従来構成において説明した後者のコンセント３８（図８（ｂ）参照）に対応した電気機器を、従来構成において説明した前者のコンセント３７（図７（ｂ）参照）に接続することができるという実施形態１と同等の効果に加え、アダプタの使用時にアダプタが占有するスペースを比較的小さく抑えることができるという効果も期待できる。
【００３８】
ところで、本実施形態では、刃受ばね５〜７と栓刃９〜１１とを別体としており、電圧極である２個の刃受ばね５，６に共通の部品を用い、かつ電圧極である２個の栓刃９，１０に共通の部品を用いるために、以下に説明するような刃受ばね５，６と栓刃９，１０との組み合わせ方を採用している。すなわち、電圧極である２個の刃受ばね５，６は互いに同じ形状に形成され、電圧極である２個の栓刃９，１０も互いに同じ形状に形成されている。これにより、刃受ばね５，６を形成するための金型を共用することができるとともに、栓刃９，１０を形成するための金型を共用することができ、金型の費用を低コストに抑えることができる。
【００３９】
電圧極である各刃受ばね５，６は、それぞれボディ２８の前面に沿って連結片５ｂ，６ｂから刃受片５ａ，６ａの幅方向の一方に突出した結合片５ｄ，６ｄを連結片５ｂ，６ｂと連続一体に有しており、各結合片５ｄ，６ｄにはそれぞれかしめ鋲３３を挿通するための結合孔３４が貫設されている。結合片５ｄ，６ｄの先端部は、一対の刃受片５ａ，６ａの対向方向における一方にボディ２８の前面に沿って延長されており、結合孔３４はこの延長部分に配置される。一方、電圧極である栓刃９，１０は、ハウジング２６内に位置する基端部（図５の上端部）から断面における幅方向の一方にボディ２８の前面に沿って延出された固定片９ａ，１０ａをそれぞれ有しており、各固定片９ａ，１０ａにはそれぞれかしめ鋲３３を挿通するための固定孔３５が２個ずつ貫設されている。２個の固定孔３５は、栓刃９，１０の断面における長手方向と幅方向とのいずれの方向においても並ぶことがないように配置される。
【００４０】
上述した刃受ばね５，６と栓刃９，１０とは、図６に示すように、結合片５ｄ，６ｄが固定片９ａ，１０ａの前方（図５の上方）に位置するように重ねられた状態で、結合孔３４と固定孔３５との両方を貫通するかしめ鋲３３の両端部をかしめることにより結合される。ここで、栓刃９が断面の長手方向を差込口１の幅方向に一致させる形で刃受ばね５に結合され、栓刃１０が断面の長手方向を差込口２の長手方向に一致させる形で刃受ばね６に結合されることにより、各刃受ばね５，６をそれぞれ差込口１，２に対応する向きに配置している。さらに、刃受ばね５，６毎にそれぞれ異なる固定孔３５を用いることにより、各刃受ばね５，６をそれぞれ差込口１，２に対応する部位に配置している。
【００４１】
また、接地極である刃受ばね７の結合片７ｄは、図５に示すように、両刃受片７ａの対向方向において一方の刃受片７ａの後端縁から他方の刃受片７ａとは反対側にボディ２８の前面に沿って突出しており、他の刃受ばね５，６の結合片５ｄ，６ｄと同様に結合孔３４が貫設されている。接地極である栓刃１１は、基端部から差込口１の幅方向の一方にボディ２８の前面に沿って延出された固定片１１ａを有しており、固定片１１ａには固定孔３５が１個だけ貫設されている。そして、刃受ばね７と栓刃１１とは、結合片７ｄが固定片１１ａの前方に位置するように重ねられた状態で、結合孔３４と固定孔３５との両方を貫通するかしめ鋲３３の両端部をかしめることにより結合される。
【図面の簡単な説明】
【００４２】
【図１】本発明の実施形態１の構成を示し、（ａ）はコンセントブロックにおけるカバーを外した状態の平面図、（ｂ）は正面図、（ｃ）は側面図、（ｄ）は背面図である。
【図２】同上の分解斜視図である。
【図３】本発明の実施形態２の構成を示し、（ａ）は正面図、（ｂ）〜（ｄ）はコンセントブロックにおけるカバーを外した状態の平面図である。
【図４】本発明の実施形態３の構成を示し、（ａ）は正面図、（ｂ）は側面図、（ｃ）は下面図、（ｄ）は背面図、（ｅ）はカバーを外した状態の平面図である。
【図５】同上の分解斜視図である。
【図６】同上の要部を示し、（ａ）は斜視図、（ｂ）は分解斜視図である。
【図７】従来例を示し、（ａ）はプラグの斜視図、（ｂ）はコンセントの斜視図である。
【図８】他の従来例を示し、（ａ）はプラグの斜視図、（ｂ）はコンセントの分解斜視図である。
【符号の説明】
【００４３】
１  （第１の）差込口
２  （第２の）差込口
３  差込口（接地極）
４  コンセントハウジング
５  （第１の）刃受ばね
６  （第２の）刃受ばね
７  刃受ばね（接地極）
８  プラグハウジング
９  （第１の）栓刃
１０  （第２の）栓刃
１１  栓刃（接地極）
１２  接続線
１９〜２１  端子板
２６  ハウジング
Ａ  コンセントブロック
Ｂ  プラグブロック
【図１】
2006302669.tif 000003
【図２】
2006302669.tif 000004
【図３】
2006302669.tif 000005
【図４】
2006302669.tif 000006
【図５】
2006302669.tif 000007
【図６】
2006302669.tif 000008
【図７】
2006302669.tif 000009
【図８】
2006302669.tif 000010